(57)【特許請求の範囲】
【請求項１】
第１基板と、有機ＥＬ素子部と、電荷蓄積部とを含み、
前記第１基板の一方の表面に、前記有機ＥＬ素子部と、前記電荷蓄積部とが形成され、
前記有機ＥＬ素子部と、前記電荷蓄積部とは、＋と−を有する外部電源に対し並列に接続され、
外部電源が遮断された場合、電荷蓄積部に蓄電された電気エネルギーを利用して前記有機ＥＬ素子部の有機ＥＬ層を発光させることが可能なことを特徴とする有機ＥＬ装置。
【請求項２】
前記電荷蓄積部が、一対の電極と、誘電体とを有し、
前記電荷蓄積部は、前記一対の電極のうちの一方の電極と、前記誘電体と、前記一対の電極のうちの他方の電極とが、この順序で積層された積層体である、請求項１記載の有機ＥＬ装置。
【請求項３】
前記第１基板の一方の表面に、さらに、整流部が形成されている、請求項１または２記載の有機ＥＬ装置。
【請求項４】
前記整流部が、一対の電極と、有機膜とを有し、
前記整流部は、前記一対の電極のうちの一方の電極と、前記有機膜と、前記一対の電極のうちの他方の電極とが、この順序で積層された積層体である、請求項３記載の有機ＥＬ装置。
【請求項５】
前記第１基板の一方の表面に、さらに、前記電荷蓄積部から前記有機ＥＬ素子部に供給される電流を調整する電流調整部を有する、請求項１から４のいずれか一項に記載の有機ＥＬ装置。
【請求項６】
前記第１基板の一方の表面に、さらに、シングルキャリアのユニポーラ素子を有し、
前記ユニポーラ素子は、前記有機ＥＬ素子部の順方向バイアスの向きと逆方向に並列に配置され、かつ、前記有機ＥＬ素子部の順方向バイアスの向きと同方向に直列に配置されており、
前記ユニポーラ素子の逆方向電圧が前記有機ＥＬ素子部の順方向電圧以上である、請求項１から５のいずれか一項に記載の有機ＥＬ装置。
【請求項７】
さらに、第２基板と、シール層とを含み、
前記第１基板および前記第２基板は、前記シール層を介して、前記第１基板の一方の表面と前記第２基板の一方の表面とが対向するように積層され、
前記シール層は、前記第１基板と前記第２基板とが対向する端部全域において、前記第１基板と前記第２基板との隙間をシールする、請求項１から６のいずれか一項に記載の有機ＥＬ装置。
【請求項８】
前記有機ＥＬ素子部が、一対の電極と、有機ＥＬ層とを有する、請求項１から７のいずれか一項に記載の有機ＥＬ装置。
【請求項９】
前記有機ＥＬ素子部は、前記一対の電極のうちの一方の電極と、前記有機ＥＬ層と、前記一対の電極のうちの他方の電極とが、この順序で積層された積層体であり、かつ、前記第１基板側の電極が、透明電極である、請求項８記載の有機ＥＬ装置。
【請求項１０】
前記有機ＥＬ素子部は、前記一対の電極のうちの一方の電極と、前記有機ＥＬ層と、前記一対の電極のうちの他方の電極とが、この順序で積層された積層体であり、かつ、前記第２基板側の電極が、透明電極である、請求項８記載の有機ＥＬ装置。
【発明の詳細な説明】
【技術分野】
【０００１】
本発明は、有機ＥＬ装置に関する。
【背景技術】
【０００２】
有機ＥＬ（Ｏｒｇａｎｉｃ  Ｅｌｅｃｔｒｏ−Ｌｕｍｉｎｅｓｃｅｎｃｅ）装置は、有機ＥＬ素子（有機ＥＬ層）を備えた自発光装置であり、例えば、照明装置、光源、表示装置等として利用可能なものである（例えば、特許文献１参照）。
【先行技術文献】
【特許文献】
【０００３】
【特許文献１】国際公開第２０１１／１３６２０５号
【発明の概要】
【発明が解決しようとする課題】
【０００４】
有機ＥＬ装置は、応答速度が速いことが知られており、電源を入れたときの点灯速度が速いと同時に、電源を切ったときの消灯速度も速い。このため、従来の有機ＥＬ装置は、例えば、照明装置等、用途によっては、災害等による突然の停電時や就寝前の消灯時等に、急に暗くなり、安全性を確保できない場合がある。【０００５】
そこで、本発明は、停電・消灯等により、電源が遮断されている場合であっても、残光照明の自動的な発光により、安全性を確保可能な有機ＥＬ装置を提供することを目的とする。
【課題を解決するための手段】
【０００６】
前記目的を達成するために、本発明の有機ＥＬ装置は、
第１基板と、有機ＥＬ素子部と、電荷蓄積部とを含み、
前記第１基板の一方の表面に、前記有機ＥＬ素子部と、前記電荷蓄積部とが形成されていることを特徴とする。
【発明の効果】
【０００７】
本発明によれば、停電・消灯等により、電源が遮断されている場合であっても、残光照明の自動的な発光により、安全性を確保可能な有機ＥＬ装置を提供することができる。
【図面の簡単な説明】
【０００８】
【図１】図１（Ｃ）は、実施形態１の有機ＥＬ装置の構成の一例を示す平面図であり、図１（Ａ）は、図１（Ｃ）に示す有機ＥＬ装置のＡ−Ａ方向から見た断面図であり、図１（Ｂ）は、図１（Ｃ）に示す有機ＥＬ装置のＢ−Ｂ方向から見た断面図である。
【図２】図２は、実施形態１の有機ＥＬ装置の一例における等価回路図である。
【図３】図３は、実施形態２の有機ＥＬ装置の一例における等価回路図である。
【図４】図４は、実施形態３の有機ＥＬ装置の一例における等価回路図である。
【図５】図５（Ａ）および（Ｂ）は、実施形態１の有機ＥＬ装置の構成の別の例を示す断面図である。
【発明を実施するための形態】
【０００９】
以下、本発明の有機ＥＬ装置について、図を用いて説明する。本発明は、下記の実施形態によって何ら限定および制限されない。以下の各図において、同一部分には、同一符号を付している。また、図においては、説明の便宜上、各部の構造は適宜簡略化して示す場合があり、各部の寸法比等は、実際とは異なり、模式的に示す場合がある。各実施形態の説明は、特に言及がない限り、互いの説明を援用できる。
【００１０】
［実施形態１］
図１に、本実施形態の有機ＥＬ装置を示す。図１（Ｃ）は、本実施形態の有機ＥＬ装置の構成の一例を示す平面図であり、図１（Ａ）は、図１（Ｃ）に示す有機ＥＬ装置のＡ−Ａ方向から見た断面図であり、図１（Ｂ）は、図１（Ｃ）に示す有機ＥＬ装置のＢ−Ｂ方向から見た断面図である。図１（Ａ）〜（Ｃ）に示すように、本実施形態の有機ＥＬ装置１００は、第１基板１１０と、有機ＥＬ素子部１２０と、電荷蓄積部１３０と、整流部１４０とを含む。有機ＥＬ素子部１２０、電荷蓄積部１３０および整流部１４０は、第１基板１１０の一方の表面（図１においては、上面）に形成されている。本実施形態の有機ＥＬ装置１００において、整流部１４０は、任意の構成部材であり、有してもよいし、有さなくてもよい。図１には、平面形状が長方形状である有機ＥＬ装置１００を例示したが、有機ＥＬ装置の平面形状は、この例に限定されず、例えば、長方形状以外の平行四辺形状（正方形状、菱形状を含む。）、台形状、五角形状、六角形状等、長方形状以外の多角形状；円形状；楕円形状；およびそれらに近い形状（例えば、略長方形状）等であってもよい。なお、本発明において、有機ＥＬ素子部１２０の発光は、通常の通電による発光を主照明と呼び、電荷蓄積部１３０からの給電による発光を副照明または残光照明と呼ぶ。
【００１１】
有機ＥＬ装置１００は、第１基板１１０と、有機ＥＬ素子部１２０と、電荷蓄積部１３０とを含めば、その他の構成は特に制限されない。有機ＥＬ装置１００は、例えば、図５（Ａ）および（Ｂ）に示すように、第１基板１１０と、有機ＥＬ素子部１２０と、電荷蓄積部１３０と、整流部１４０と、シール層１７０と、第２基板１８０とを有していてもよい。図５（Ａ）および（Ｂ）は、それぞれ、図１（Ａ）および（Ｂ）に対応している。図５に示す例では、第１基板１１０および第２基板１８０は、シール層１７０を介して、第１基板１１０の一方の表面（図５においては、上面）と第２基板１８０の一方の表面（図５においては、下面）とが対向するように積層されている。シール層１７０は、第１基板１１０と第２基板１８０とが対向する端部全域において、第１基板１１０と第２基板１８０との隙間をシールする。
【００１２】
第１基板１１０は、有機ＥＬ層１２３の発光を透過させる透過率の高いものであることが好ましい。第１基板１１０の形成材料としては、例えば、無アルカリガラス、ソーダガラス、ソーダライムガラス、硼珪酸ガラス、アルミノ珪酸ガラス、石英ガラス等のガラス；ポリエチレンナフタレート、ポリエチレンテレフタレート等のポリエステル；ポリイミド；ポリメタクリル酸メチル、ポリメタクリル酸エチル、ポリアクリル酸メチル、ポリアクリル酸エチル等のアクリル系樹脂；ポリエーテルサルフォン；ポリ炭酸エステル；等があげられる。第１基板１１０の大きさ（長さおよび幅）は、特に制限されず、例えば、所望の有機ＥＬ装置１００の大きさに応じて、適宜設定すればよい。第１基板１１０の厚さも、特に制限されず、その形成材料、使用環境等に応じて、適宜設定できるが、一般的には１ｍｍ以下である。なお、第１基板１１０に加え若しくは代えて、第２基板１８０を有機ＥＬ層１２３の発光を透過させる透過率の高いものとしてもよい。
【００１３】
有機ＥＬ素子部１２０は、例えば、一対の電極と、有機ＥＬ層とを有し、前記一対の電極のうちの一方の電極と、前記有機ＥＬ層と、前記一対の電極のうちの他方の電極とが、この順序で積層された積層体である。前記一対の電極は、例えば、陽極１２１と陰極１２２との組合せであり、陽極１２１は、例えば、酸化インジウムスズ（ＩＴＯ）等の透明電極であり、陰極１２２は、例えば、金属（例えば、アルミニウム等）等の対向電極である。有機ＥＬ層１２３は、例えば、正孔注入層、正孔輸送層、有機ＥＬを含む発光層、電子輸送層、電子注入層が、順次積層された積層構造等である。図１および図５に例示する有機ＥＬ装置１００は、例えば、ボトムエミッションタイプであり、ボトムエミッションタイプの有機ＥＬ装置１００の場合、例えば、有機ＥＬ素子部１２０は、第１基板１１０側から、透明電極（陽極）１２１と、有機ＥＬ層１２３と、対向電極（陰極）１２２とが、この順序で積層された積層体であることが好ましい。なお、第２基板１８０の形成材料が透過率の高いものである場合には、陽極１２１と陰極１２２との配置箇所を、入れ替えることで、トップエミッションタイプの有機ＥＬ装置としてもよい。図１および図５には、第１基板１１０の一方の表面に１つの有機ＥＬ素子部１２０（有機ＥＬ層１２３）が配置された例を示したが、本実施形態の有機ＥＬ装置１００はこの例に限定されず、第１基板１１０の一方の表面に複数（２以上）の有機ＥＬ素子部（有機ＥＬ層）が配置されたものであってもよい。
【００１４】
第２基板１８０は、有機ＥＬ素子部１２０を外気から遮断するための封止基板である。第２基板１８０としては、有機ＥＬ素子部１２０を外気から遮断することができればいかなるものを用いてもよく、例えば、第１基板１１０と同様の材料から形成されたものを用いることができる。第２基板１８０の大きさ（長さおよび幅）は、特に制限されず、例えば、第１基板１１０の大きさと略同じまたは一回り小さくなるように、適宜調整すればよい。第２基板１８０の厚さも、特に制限されないが、例えば、０．５〜１ｍｍの範囲である。
【００１５】
シール層１７０は、例えば、第２基板１８０の一方の面（図５においては、下面）の外周縁に沿って、接着剤を塗布することで形成される。前記接着剤としては、特に制限するものではないが、例えば、ＵＶ（紫外線）硬化型樹脂等を好適に利用できる。シール層１７０は、有機ＥＬ素子部１２０の厚さよりも若干厚く形成され、その厚さは、例えば、０．１〜１００μｍの範囲である。
【００１６】
本実施形態の有機ＥＬ装置１００において、第１基板１１０と第２基板１８０との間であり且つシール層１７０で囲まれる空間（図５における白抜き部分）に、充填剤が充填されていてもよい。前記充填剤としては、例えば、不活性ガス、シリコーン等があげられる。前記シリコーンには、酸化カルシウム等の捕水剤を混練してもよい。
【００１７】
電荷蓄積部１３０は、例えば、一対の電極と、誘電体とを有し、前記一対の電極の一方の電極と、前記誘電体と、前記一対の電極のうちの他方の電極とが、この順序で積層された積層体である。前記一対の電極は、例えば、陽極１２１と陰極１２２との組合せである。陽極１２１および陰極１２２は、例えば、図１および図５に示すように、有機ＥＬ素子部１２０と同じものを共用してもよいし、電荷蓄積部１３０専用のものを設けてもよい。電荷蓄積部１３０専用に設ける場合には、前記陽極および前記陰極としては、例えば、それぞれ、有機ＥＬ素子部１２０におけるのと同様のＩＴＯ等の透明電極および金属等の対向電極があげられる。誘電体１３３としては、例えば、酸化アルミニウム等の金属酸化物、酸化シリコン等の無機酸化物、窒化シリコン等の無機窒化物、酸窒化シリコン等の無機酸窒化物の薄膜等があげられる。また、有機ＥＬ層１２３の形成材料も、誘電率を有する誘電体として作用し得るので、電荷蓄積部１３０の形成に用いてもよい。この場合、正孔や電子の注入材料を用いると、それらの材料へのキャリアの注入障壁が小さく、電荷を蓄積しにくくなるので、それらに代えて、正孔輸送層、発光層または電子輸送層のホスト材料を用いることが好ましい。あるいは、正孔注入層と電子注入層とを、有機ＥＬ層１２３におけるのと逆の順序で形成してもよい。
【００１８】
整流部１４０は、例えば、一対の電極と、有機膜とを有し、前記一対の電極のうちの一方の電極と、前記有機膜と、前記一対の電極のうちの他方の電極とが、この順序で積層された積層体である。前記一対の電極は、例えば、陽極１２１と陰極１４２との組合せである。陽極１２１は、例えば、図１および図５に示すように、有機ＥＬ素子部１２０および電荷蓄積部１３０と同じものを共用してもよいし、整流部１４０専用のものを設けてもよい。整流部１４０専用に設ける場合には、前記陽極としては、例えば、有機ＥＬ素子部１２０におけるのと同様のＩＴＯ等の透明電極があげられる。陰極１４２としては、例えば、有機ＥＬ素子部１２０におけるのと同様の金属等の対向電極があげられる。有機膜１４３は、例えば、ユニポーラ性の材料で構成される。有機膜１４３は、例えば、有機ＥＬ層１２３の内の、正孔輸送層または電子輸送層と同様の構成としてもよい。
【００１９】
つぎに、本実施形態の有機ＥＬ装置１００の製造方法について、例をあげて説明する。ただし、この製造方法は例示に過ぎず、本実施形態の有機ＥＬ装置１００は、いかなる方法で製造してもよい。なお、本実施形態の有機ＥＬ装置１００の製造は、有機ＥＬ素子部１２０が水分と接触するのを抑制するために、不活性ガス雰囲気下で行うことが好ましい。
【００２０】
まず、第１基板１１０の一方の表面上に、陽極１２１を形成する。陽極１２１は、例えば、シャドーマスクを介して、前述の陽極１２１の形成材料を、スパッタ法、化学気相蒸着（ＣＶＤ）法等の従来公知の方法で成膜することで形成可能である。また、陽極１２１は、前述の陽極１２１の形成材料を、第１基板１１０の一方の表面上に一様に成膜し、フォトリソグラフィーにより所望の形状にパターニングすることでも形成可能である。
【００２１】
つぎに、誘電体１３３および整流部１４０を形成する。本実施形態の有機ＥＬ装置１００の製造において、有機ＥＬ素子部１２０、電荷蓄積部１３０および整流部１４０の形成順序に特に制限はないが、本例のように、有機ＥＬ素子部１２０の有機ＥＬ層１２３の形成に先立ち、電荷蓄積部１３０の誘電体１３３および整流部１４０を形成すれば、これらの形成が有機ＥＬ層１２３に与える影響をなくすことができる。
【００２２】
まず、陽極１２１上に、誘電体１３３を形成する。誘電体１３３は、例えば、前述の誘電体１３３の形成材料を用いて、スパッタ法等により形成可能である。
【００２３】
つぎに、陽極１２１上に、有機膜１４３を形成する。有機膜１４３は、例えば、従来公知の材料を用いて、抵抗加熱による真空蒸着法、ＭＢＥ（分子線エピタキシー）法、レーザーアブレーション法等の従来公知の方法でシャドーマスクを介して形成可能である。また、有機膜１４３の形成に高分子材料を用いる場合、前記高分子材料を液状にしてインクジェット等の印刷により陽極１２１上に有機膜１４３を形成することも可能であり、また、感光性塗布液にして、スピンコートまたはスリットコートし、フォトリソグラフィーにより陽極１２１上に有機膜１４３を形成することも可能である。
【００２４】
つぎに、有機膜１４３上に、陰極１４２を形成する。陰極１４２は、前述の陰極１４２の形成材料を用いて、例えば、真空蒸着法、スパッタ法等の従来公知の方法により形成可能である。
【００２５】
つぎに、有機ＥＬ素子部１２０を形成する。まず、陽極１２１上に、前述の有機膜１４３の形成と同様にして、有機ＥＬ層１２３を形成する。つぎに、有機ＥＬ層１２３上に、前述の陰極１４２の形成と同様にして、陰極１２２を形成する。
【００２６】
つぎに、シール層１７０を、第１基板１１０上に形成し、第１基板１１０と第２基板１８０との間であり且つシール層１７０で囲まれる空間に前記充填剤を充填した後に、シール層１７０の上面に、第２基板１８０を接着または融着する。このようにして、本実施形態の有機ＥＬ装置１００を得ることができる。なお、本実施形態の有機ＥＬ装置１００の製造を不活性ガス雰囲気下で行う場合であって、前記充填剤として前記不活性ガスを用いる場合には、既に前記空間には前記不活性ガスが充填されているため、前記充填剤の充填工程は、不要となる。
【００２７】
図２に、本実施形態の有機ＥＬ装置１００の等価回路図を示す。図２において、左上の「＋」および左下の「−」は、外部電源から供給される電力の種類を示す。前記「＋」は、図１（Ａ）〜（Ｃ）における陽極１２１に電気的に接続されていることを示す。また、前記「−」は、図１（Ａ）〜（Ｃ）における陰極１２２および１４２に電気的に接続されていることを示す。本実施形態の有機ＥＬ装置１００によれば、電源が入れられた有機ＥＬ層１２３の発光（主照明）時に、電荷蓄積部１３０に蓄電される。ここで、停電・消灯等により、電源が遮断されている場合、主照明を点灯させることができない。そうすると、副照明の点灯モードに切り替わり、電荷蓄積部１３０に蓄電された電気エネルギーが有機ＥＬ層１２３に供給され、一定期間点灯することができる。
【００２８】
このように、本実施形態の有機ＥＬ装置１００によれば、蓄電された電気エネルギーを有機ＥＬ層１２３に供給する電荷蓄積部１３０を備えることにより、例えば、停電・消灯時に、蓄電された電気エネルギーを利用して、強制的に、有機ＥＬ層１２３を発光させることができる。つまり、停電・消灯時の自動的な点灯も可能となるため、安全性を確保することができる。
【００２９】
また、本実施形態の有機ＥＬ装置１００によれば、第１基板１１０の一方の表面において、電荷蓄積部１３０および整流部１４０が、有機ＥＬ素子部１２０と異なる箇所に形成されるため、例えば、電荷蓄積部１３０および整流部１４０より先に有機ＥＬ素子部１２０を形成する場合においても、それらの形成が有機ＥＬ層１２３に与える影響を少なくでき、また、設計の自由度も高い。
【００３０】
本実施形態の有機ＥＬ装置１００は、例えば、照明装置、光源、表示装置等、幅広い用途に用いることが可能である。
【００３１】
［実施形態２］
本実施形態は、第１基板１１０の一方の表面に、さらに、電荷蓄積部１３０から有機ＥＬ素子部１２０に供給される電流を調整する電流調整部を有する有機ＥＬ装置の一例である。図３に、本実施形態の有機ＥＬ装置の等価回路図を示す。図３に示すように、本実施形態の有機ＥＬ装置は、電荷蓄積部１３０と有機ＥＬ素子部１２０との間に、さらに、電流調整部１５０を有する点を除き、実施形態１の有機ＥＬ装置１００と同様である。
【００３２】
電流調整部１５０としては、例えば、Ｔａ（タンタル）、Ｃｕ−Ｎｉ（銅ニッケル合金）、ＩＴＯ、ＩＺＯ（酸化インジウム−酸化亜鉛）、ＩＧＺＯ（インジウム、ガリウム、亜鉛、酸素から構成されるアモルファス半導体）、Ｎｉ−Ｃｒ（ニッケルクロム合金）等の比抵抗の高い材料、コンタクト抵抗の高い材料等があげられる。電流調整部１５０の抵抗値は、例えば、外部電源の電圧値、本実施形態の有機ＥＬ装置やその整流部との差分、本実施形態の有機ＥＬ装置をどの程度明るくするか等により選択し、設定することができる。一例として、外部電源の電圧の約８０％で駆動し、電圧１００Ｖの外部電源を用いて、１個当たり６Ｖで駆動する有機ＥＬ層と０．６Ｖの整流部を有する本実施形態の有機ＥＬ装置を１４個直列に繋いだ場合、電流調整部１５０の抵抗値は、例えば、３０〜４０Ωの範囲とすることができる。有機ＥＬ層は、連続駆動により変動幅は小さいが徐々に駆動電圧が上がるため、外部電源の電圧に対し、余力を持って駆動することが好ましい。
【００３３】
本実施形態の有機ＥＬ装置によれば、電流調整部１５０を備えることで、実施形態１で得られる効果に加え、電荷蓄積部１３０から有機ＥＬ素子部１２０に供給される電流を小さく、時定数を大きくし、副照明を点灯させる時間を、より長く調整・制御することが可能である。また、電流調整部１５０は、電荷蓄積部１３０から有機ＥＬ素子部１２０への突入電流の発生防止や、有機ＥＬ素子部１２０の保護抵抗の役割を果たすこともできる。
【００３４】
［実施形態３］
本実施形態は、第１基板１１０の一方の表面に、さらに、シングルキャリアのユニポーラ素子を有する有機ＥＬ装置の一例である。図４に、本実施形態の有機ＥＬ装置の等価回路図を示す。図４に示すように、本実施形態の有機ＥＬ装置は、さらに、ユニポーラ素子１６０を有する点を除き、実施形態２の有機ＥＬ装置と同様である。
【００３５】
ユニポーラ素子１６０は、有機ＥＬ素子部１２０の順方向バイアスの向きと逆方向に並列に配置され、かつ、有機ＥＬ素子部１２０の順方向バイアスの向きと同方向に直列に配置されている。ユニポーラ素子１６０は、例えば、整流部１４０と同様の構成、すなわち、一対の電極と、有機膜とを有し、前記一対の電極のうちの一方の電極と、前記有機膜と、前記一対の電極のうちの他方の電極とが、この順序で積層された積層体である。
【００３６】
本実施形態の有機ＥＬ装置によれば、ユニポーラ素子１６０を備えることで、実施形態２で得られる効果に加え、さらに、つぎの効果を得ることができる。すなわち、ユニポーラ素子１６０の逆方向電圧を、有機ＥＬ素子部１２０の順方向電圧以上とすることにより、通常、ユニポーラ素子１６０へは電流が流れることはないため、有機ＥＬ素子部１２０の点灯に影響を及ぼすことはない。一方、大きな逆バイアスが有機ＥＬ素子部１２０に印加された場合には、ユニポーラ素子１６０へ電流が流れるので、有機ＥＬ素子部１２０の破壊を防ぐことが可能である。また、電流調整部１５０と組合せてオン電圧を調整したユニポーラ素子１６０を配置することにより、一定以上の大きな順方向バイアス電流が有機ＥＬ素子部１２０に掛かったとしても、ユニポーラ素子１６０へ電流が流れるようにし、有機ＥＬ素子部１２０の破壊を防ぐことが可能である。
【００３７】
以上、実施形態を参照して本発明を説明したが、本発明は、上記実施形態に限定されるものではない。本発明の構成や詳細には、本発明のスコープ内で当業者が理解しうる様々な変更をすることができる。
【００３８】
この出願は、２０１６年１１月１１日に出願された日本出願特願２０１６−２２０２４０を基礎とする優先権を主張し、その開示の全てをここに取り込む。
【産業上の利用可能性】
【００３９】
本発明によれば、停電・消灯等により、電源が遮断されている場合であっても、残光照明の自動的な発光により、安全性を確保可能な有機ＥＬ装置を提供することができる。本発明の有機ＥＬ装置は、例えば、照明装置、光源、表示装置等、幅広い用途に用いることが可能である。
【符号の説明】
【００４０】
１００          有機ＥＬ装置
１１０          第１基板
１２０          有機ＥＬ素子部
１２１          陽極
１２２、１４２  陰極
１２３          有機ＥＬ層
１３０          電荷蓄積部
１３３          誘電体
１４０          整流部
１４３          有機膜
１５０          電流調整部
１６０          ユニポーラ素子
１７０          シール層
１８０          第２基板
【図１】
0006770582.tif 000002
【図２】
0006770582.tif 000003
【図３】
0006770582.tif 000004
【図４】
0006770582.tif 000005
【図５】
0006770582.tif 000006